(57)【特許請求の範囲】
【請求項１】
媒体の処理途中で媒体を上下動可能な一時保留板上に一時保留し、その後、媒体を一時保留板上から繰り出す一時保留部を備えた媒体処理装置において、
前記一時保留板に、媒体の集積，繰り出し方向に延びるスリットを設け、このスリットに対して光軸が斜めに交差するように媒体検知用の発光素子と受光素子からなるセンサを前後方向に傾けて配置し、
媒体の繰り出し終了後、一時保留板を下降させることにより発光素子からの光をスリットの長さの範囲で走査させて、発光素子の光が受光素子で受光されたか否かにより一時保留板上の残留紙幣の有無を検知することを特徴とする媒体処理装置。
【請求項２】
請求項１において、
スリットは一時保留板の中心を挟んで一定の間隔で平行に設け、このスリットに対応してセンサを複数組配置したことを特徴とする媒体処理装置。
【発明の詳細な説明】
【０００１】
【発明の属する技術分野】
本発明は、媒体の処理途中で媒体を上下動可能な一時保留板上に一時保留し、その後、媒体を一時保留板上から繰り出す機能を有する媒体処理装置に関するものである。
【０００２】
【従来の技術】
この種の媒体処理装置として金融機関で用いられる自動取引装置に組み込まれる紙幣入出金機がある。
図５は従来の媒体処理装置の一例である紙幣入出金機の内部構成を示す概略側面図、図６は図５における一時保留部の側面図である。
【０００３】
図において１は装置の筐体、２はこの筐体１の前面側上部に設けられた接客部であり、この接客部２は入金取引時の紙幣の投入や、紙幣の返却、及び出金取引時の紙幣の支払いを行うための紙幣授受機能や、投入された紙幣を１枚づつ分離して繰り出す分離繰り出し機能を有している。
３は入出金取引時や紙幣の補充，回収時、あるいは精査時等に紙幣の真偽，金種，正損，表裏等の鑑別と２重送りや連鎖あるいは斜行等の異常搬送の有無の検知及び前記鑑別により金種が確認された紙幣の計数を行う鑑別部である。
【０００４】
４〜６は取引に用いる紙幣Ｐを金種別に収納する金種別カセットで、筐体１内の底部側に並べて配置されている。
７は金種別収納庫４〜６に対する紙幣の補充，回収に用いられる一括カセットで、千円券と万円券の紙幣を一括して集積して上下動するステージ８を有している。
【０００５】
この一括カセット７は筐体１の背面側に配置され、筐体１に対して着脱自在になっている。９は一括カセット７を筐体１内に装着したとき、この一括カセット７上に位置するように筐体１内に配置された一時保留部である。この一時保留部９は、図６に示したように繰り出し取り込みローラやリバースローラ等の複数ローラやベルト等により構成される繰り出し集積手段１０、この繰り出し集積手段１０を駆動するモータ１１、一括カセット７のステージ８上の紙幣を矯正する押圧部材の役割を兼ねる一時保留板１２、この一時保留板１２を図示しないプーリやベルト等を介して上下動させるモータ１３、及び発光素子と受光素子から成るセンサ１４を備えている。
【０００６】
ここで、繰り出し集積手段１０は一時保留部９内の上部前端側に配置されていて、一時保留板１２上に紙幣を集積すると共に、一時保留板１２及びステージ８上の紙幣を繰り出すように回転するものとなっている。
また、センサ１４は一時保留板１２上の紙幣の有無を検知するため、一時保留板１２に対して光軸が斜めに交差するように前後方向に傾けて配置されており、このセンサ１４の光を通過させるための小孔１２ａが一時保留板１２に設けられている。
【０００７】
１５は装置内で紙幣を挟持して搬送するベルト及びローラから成る搬送路で、この搬送路１５により前記接客部２，鑑別部３，金種別カセット４〜６，一括カセット７，一時保留部９等が結ばれており、その分岐あるいは合流部に紙幣の搬送方向を切り替えるブレードが配置されている。
１６は制御手段で，この制御手段１６により紙幣入出金機全体の制御が行われる。
【０００８】
このような構成を有する紙幣入出金機による紙幣の入出金処理及び一括カセット７から金種別カセット４〜６への紙幣の補充処理については、公知であるのでその説明を省略し、ここでは一時保留部９の動作について説明する。
自動取引装置の１つの機能として各金種別カセット４〜６内の紙幣の在高を調べるための無人精査と呼ばれる機能がある。
【０００９】
この無人精査においては、各金種別カセット４〜６内の紙幣を繰り出して搬送路１５により鑑別部３に搬送して鑑別，真偽、正損、金種等の鑑別及び計数を行い、正常と鑑別された紙幣は搬送路１５により一括カセット７に搬送して下部側に一旦収納する。
また、金種不明と鑑別されたり、２重送りや連鎖あるいは斜行等の異常搬送等が検知された紙幣は、リジェクト紙幣として、一時保留部９に搬送して、繰り出し集積手段１０により一時保留板１２上に集積する。
【００１０】
このとき一時保留板１２は、予め定められた位置に待機し、リジェクト紙幣が集積されるに従って下降するように制御部１６がモータ１３の回転を制御する。
そして、金種別カセット４〜６内のすべての紙幣が繰り出されて、一括カセット７内または一時保留板１２上に収納または集積されると、制御部１６により鑑別、計数結果が自動取引装置の主制御部に送られて、有高の精査処理が行われた後、モータ１３により一時保留板１２が上昇して、一時保留板１２上の紙幣が繰り出し集積手段１０の繰り出しローラに押しつけ、モータ１１により繰り出し集積手段１０を駆動することで紙幣１枚ずつ分離して繰り出すが、繰り出しに伴って一時保留板１２は上昇するように制御される。
【００１１】
繰り出された紙幣は搬送路１５により鑑別部３を経由して金種別カセット４〜６のいずれか１つに収納される。
一時保留板１２上の紙幣の繰り出しが終了すると、モータ１３が逆回転して一時保留板１２が下降し、この下降中のある時点でセンサ１４の発光素子からの光が一時保留板１２の小孔１２ａを通過して受光素子で受光されたか否かにより一時保留板１２上に残留紙幣の有無が検知される。
【００１２】
一方、一括カセット７内に収納された紙幣は、図示しない移し替え手段によりステージ８上に移し替えられ、その後、ステージ８が上昇して繰り出し集積手段１０の繰り出しローラに押しつけ、１枚ずつ分離して繰り出すが、その際、一時保留板１２はステージ８上の紙幣の繰り出しの妨げにならないように上方に退避するものとなっている。
【００１３】
ステージ８上から繰り出された紙幣は、搬送路１５により鑑別部４に搬送され、この鑑別部３での金種鑑別結果に応じて金種別に金種別カセット４〜６内に戻される。
【００１４】
【発明が解決しようとする課題】
しかしながら上述した従来の技術では、一時保留板１２に小孔１２ａを設けてセンサ１４の光を通過させる構造となっているため、つまりセンサ１４の光軸上を小孔１２ａが通過する一点でのみ一時保留板１２上の残留紙幣の有無を検出するため、図６に示したように集積時に折れ曲がり等が生じた紙幣Ｐが小孔１２ａから前後あるいは左右にずれて存在した場合、この紙幣の存在を検知することができず、そのため本来除去しなければならない紙幣Ｐがそのまま放置され、次に一時保留板１２上に紙幣を集積する際にジャム等の二次障害を発生するという問題がある。
【００１５】
折れ曲がり等が生じた非正常紙幣Ｐの存在を確実に検知するには、小孔１２ａ及びセンサ１４を増設することが考えられるが、この場合、一時保留部９のコストの上昇を招くだけでなく、スペース的な制約からセンサ１４に増設が極めて困難となる。
本発明はこのような問題を解決することを課題とするものである。
【００１６】
【課題を解決するための手段】
そのため、本発明は、媒体の処理途中で媒体を上下動可能な一時保留板上に一時保留し、その後、媒体を一時保留板上から繰り出す一時保留部を備えた媒体処理装置において、
前記一時保留板に、媒体の集積，繰り出し方向に延びるスリットを設け、このスリットに対して光軸が斜めに交差するように媒体検知用の発光素子と受光素子からなるセンサを前後方向に傾けて配置し、媒体の繰り出し終了後、一時保留板を下降させることにより発光素子からの光をスリットの長さの範囲で走査させて、発光素子の光が受光素子で受光されたか否かにより一時保留板上の残留紙幣の有無を検知することを特徴とする。
【００１７】
【発明の実施の形態】
以下、図面を参照して本発明の実施の形態について説明する。
図１は実施の形態における要部平面図、図２は実施の形態における一時保留部の側面図である。
図において１７は一時保留部９に設けられた上下動可能な一時保留板で、この一時保留板１７には前後方向（紙幣の集積，繰り出し方向）に延びる長さＬ１，Ｌ２のスリット１８ａ，１８ｂが一時保留板１７の左右方向（紙幣の単手方向）の中心を挟んで一定の間隔で平行に設けられており、このスリット１８ａ，１８ｂに対して光軸が斜めに交差するように２組のセンサ１４ａ，１４ｂがそれぞれ前後方向に傾けて配置されている。
【００１８】
ここで、スリット１８ａ，１８ｂの長さＬ１，Ｌ２は一時保留板１７の左右方向の２／３程度にしてあるが、それ以上であってもよい。
尚、一時保留部９の他の構成については従来と同様であるので、同一の符号で表し、その説明を省略する。
また、この一時保留部９が設けられる紙幣入出金機の全体の構成は図５のものと同様である。
【００１９】
次に、上述した構成の作用について説明する。
図３及び図４は一時保留部９の動作を示す側面図である。
例えば、自動取引装置の無人精査において、図５に示す各金種別カセット４〜６から繰り出されて鑑別部３で金種不明と鑑別されたり、２重送りや連鎖あるいは斜行等の異常搬送等が検知されたリジェクト紙幣が搬送路１５により一時保留部９に搬送され、繰り出し集積手段１０により一時保留板１７上に集積される。
【００２０】
このとき一時保留板１７は、図３に示したように予め定められた位置に待機しており、リジェクト紙幣が集積されるに従って下降するように制御部１６がモータ１３の回転を制御する。
金種別カセット４〜６内のすべての紙幣が繰り出されて、鑑別部３での鑑別、計数、更には自動取引装置の主制御部での有高の精査処理が行われた後、モータ１３により一時保留板１７が上昇して、一時保留板１７上の紙幣が繰り出し集積手段１０の繰り出しローラに押しつけ、モータ１１により繰り出し集積手段１０を駆動することで紙幣を１枚ずつ分離して繰り出すが、この繰り出しに伴って一時保留板１７は上昇するように制御される。
【００２１】
一時保留板１７上の紙幣の繰り出しが終了すると、制御部１６の制御によりモータ１３が逆回転して一時保留板１７が下降し、この下降中のある時点から一時保留板１７が図４に示したように移動範囲の下端に達するまでセンサ１４ａ，１４ｂの発光素子からの光が一時保留板１７に設けられたスリット１８ａ，１８ｂを通過し、その光が受光素子で受光されたか否かにより一時保留板１７上に残留紙幣の有無が検知される。
【００２２】
つまり、図１に示したスリット１８ａ，１８ｂの長さＬ１，Ｌ２の範囲でセンサ１４ａ，１４ｂの光が走査し、線的な検知範囲で一時保留板１７上に残留紙幣の有無が検知される。
従って、これによれば、集積時に折れ曲がり等が生じた紙幣が正規の位置から前後あるいは左右にずれて存在した場合でも、この紙幣の存在を確実に検知することができる。
【００２３】
尚、本発明は上述した実施の形態に限定されるものではない。
例えば、上述した実施の形態では、一時保留板１７上に無人精査時のリジェクト紙幣を集積するものとして説明したが、装置の運用形態によっては入金取引や出金取引において正常な紙幣を集積することもあり、そのような場合にも、集積時に折れ曲がり等が生じた紙幣が正規の位置から前後あるいは左右にずれて存在することがあるので、その紙幣の存在を検知することが可能である。
【００２４】
また、紙幣入出金機のような紙幣を取り扱う装置だけでなく、株券やチケット等の紙葉状の媒体を扱う装置で、その媒体を一時保留部の一時保留板上に一時的に集積し、後で一時保留板上の媒体を繰り出す装置であれば、いずれの装置でも適用可能である。
【００２５】
以上説明したように、本発明は、媒体の処理途中で媒体を上下動可能な一時保留板上に一時保留し、その後、媒体を一時保留板上から繰り出す一時保留部を備えた媒体処理装置において、前記一時保留板に、媒体の集積，繰り出し方向に延びるスリットを設け、このスリットに対して光軸が斜めに交差するように媒体検知用の発光素子と受光素子からなるセンサを前後方向に傾けて配置し、媒体の繰り出し終了後、一時保留板を下降させることにより発光素子からの光をスリットの長さの範囲で走査させて、発光素子の光が受光素子で受光されたか否かにより一時保留板上の残留紙幣の有無を検知するようにしている。
【００２６】
そして、スリットは一時保留板の中心を挟んで一定の間隔で平行に設け、このスリットに対応してセンサを複数組配置するものとしている。
従ってこれによれば、集積時に折れ曲がり等が生じた媒体が正規の位置から前後あるいは左右にずれて存在した場合でも、この媒体の存在を確実に検知することができ、そのため本来除去しなければならない媒体がそのまま放置されることがなくなり、ジャム等の二次障害の発生を防止できるという効果が得られる。
【００２７】
また、本発明はセンサ数を多数増加させることなく実現できるので、コスト的にも安価になるという効果も得られる。
【図面の簡単な説明】
【図１】実施の形態における要部平面図。
【図２】実施の形態における一時保留部の概略側面図。
【図３】実施の形態の動作を示す一時保留部の側面図。
【図４】実施の形態の動作を示す一時保留部の概略側面図。
【図５】従来例の内部構成を示す概略側面図。
【図６】従来例における一時保留部の構成を示す側面図。
【符号の説明】
９  一時保留部
１０  繰り出し集積手段
１４ａ，１４ｂ  センサ
１７  一時保留板
１８ａ，１８ｂ  スリット
【図１】
0004608814.tif 000002
【図２】
0004608814.tif 000003
【図３】
0004608814.tif 000004
【図４】
0004608814.tif 000005
【図５】
0004608814.tif 000006
【図６】
0004608814.tif 000007